(57)【要約】【課題】汚れ、破損、測定範囲変更などに伴う光学セルの交換作業を容易にし、光学セル交換後の校正操作を容易に行えるようにし、光学セル交換後の定期的な校正においても、標準検体を必要としない。【解決手段】被検体の流体を光学セル３０内に通過させ、この光学セル３０の透明部分に、光源からの光がプリズムまたは回析格子を透過して得られる任意の波長の単色光として照射し、光学セル３０内の被検体を通過するときの光吸収の程度を受光素子１４で受光して光量を測定し、被検体内に含有する成分を計測する光学分析計１において、被検体内に含有する成分の吸収波長と同一、又は近似の吸収波長を持つ光学フィルタ１５を光源の内側かつ光学セル側面に配置し、光学フィルタ１５を随時光路中に挿入可能な構造である。【選択図】図１
2004226108.tif 000002
【特許請求の範囲】
【請求項１】
被検体の流体を光学セル内に通過させ、この光学セルの透明部分に、光源からの光がプリズムまたは回析格子を透過して得られる任意の波長の単色光として照射し、前記光学セル内の前記被検体を通過するときの光吸収の程度を受光素子で受光して光量を測定し、前記被検体内に含有する成分を計測する光学分析計において、
前記被検体内に含有する成分の吸収波長と同一、又は近似の吸収波長を持つ光学フィルタを前記光源の内側かつ前記光学セル側面に配置し、前記光学フィルタを随時光路中に挿入可能な構造であることを特徴とする光学分析計。
【請求項２】
前記光学分析計の校正時において、ゼロ点校正後、前記光学フィルタを前記光路中に挿入することで、前記被検体中の測定成分濃度と等価の光吸収が得られ校正が可能であることを特徴とする請求項１に記載の光学分析計。
【請求項３】
前記光学セルの被検体入口及び被検体出口に配管継手を設け、前記光学セルのみを単体で交換可能な構造であることを特徴とする請求項１または請求項２に記載の光学分析計。
【請求項４】
前記光学セルには、個々の光学セルにおける光量の勾配と校正用標準検体による濃度勾配との差異に基づいて算出した感度係数が記録されており、校正時に変換部において前記感度係数を入力することにより校正が可能であることを特徴とする請求項１乃至請求項３のいずれか１項に記載の光学分析計。
【発明の詳細な説明】
【０００１】
【発明の属する技術分野】
この発明は、光学セルが交換可能な光学分析計に関する。
【０００２】
【従来の技術】
従来、光学分析計には、被検体の流体を光学セル内に通過させ、この光学セルの透明部分に、光源からの光がプリズムまたは回析格子を透過して得られる任意の波長の単色光として照射し、光学セル内の被検体を通過するときの光吸収の程度を受光素子で受光して光量を測定し、被検体内に含有する成分を計測するものがある（例えば特許文献１）。
【０００３】
このような光学分析計における校正は、濃度の判明している校正用標準検体を光学セル内に通過させ変換部において電気的に標準検体の濃度に合わせるか、あるいはすでに標準検体で校正された別の光学分析計で測定した被検体濃度に合わせるように、変換部において電気的に調整していた。
【０００４】
【特許文献１】
特開２００２−５８２０号公報（第１〜第４頁、図１及び図２）
【０００５】
【発明が解決しようとする課題】
このような光学分析計では、光学セル内の汚れや破損等により光学セルを交換した場合も、交換後には新しい光学セルで必ず前出の校正操作を行わなければならなかった。
【０００６】
また、セル交換の作業自体も配管、配線の取り外し、再接続等の作業が煩雑であり、測定現場での光学セルの交換作業は不可能に近かった。
【０００７】
この発明は、かかる点に鑑みてなされたもので、汚れ、破損、測定範囲変更などに伴う光学セルの交換作業を容易にし、光学セル交換後の校正操作を容易に行えるようにし、光学セル交換後の定期的な校正においても、標準検体を必要としない光学分析計を提供するものである
【０００８】
【課題を解決するための手段】
前記課題を解決し、かつ目的を達成するために、この発明は以下のように構成した。
【０００９】
請求項１に記載の発明は、被検体の流体を光学セル内に通過させ、この光学セルの透明部分に、光源からの光がプリズムまたは回析格子を透過して得られる任意の波長の単色光として照射し、前記光学セル内の前記被検体を通過するときの光吸収の程度を受光素子で受光して光量を測定し、前記被検体内に含有する成分を計測する光学分析計において、
前記被検体内に含有する成分の吸収波長と同一、又は近似の吸収波長を持つ光学フィルタを前記光源の内側かつ前記光学セル側面に配置し、前記光学フィルタを随時光路中に挿入可能な構造であることを特徴とする光学分析計である。
【００１０】
この請求項１に記載の発明によれば、被検体内に含有する成分の吸収波長と同一、又は近似の吸収波長を持つ光学フィルタを光源の内側かつ光学セル側面に配置し、光学フィルタを随時光路中に挿入可能な構造であり、汚れ、破損、測定範囲変更などに伴う光学セルの交換作業を容易にし、光学セル交換後の校正操作を容易に行えるようにし、光学セル交換後の定期的な校正においても、標準検体を必要としない。
【００１１】
請求項２に記載の発明は、前記光学分析計の校正時において、ゼロ点校正後、前記光学フィルタを前記光路中に挿入することで、前記被検体中の測定成分濃度と等価の光吸収が得られ校正が可能であることを特徴とする請求項１に記載の光学分析計である。
【００１２】
この請求項２に記載の発明によれば、光学分析計の校正時において、ゼロ点校正後、光学フィルタを光路中に挿入することで、被検体中の測定成分濃度と等価の光吸収が得られ校正が可能であり、濃度の判った標準検体を光学セル内に通過させなくても校正が可能である。
【００１３】
請求項３に記載の発明は、前記光学セルの被検体入口及び被検体出口に配管継手を設け、前記光学セルのみを単体で交換可能な構造であることを特徴とする請求項１または請求項２に記載の光学分析計である。
【００１４】
この請求項３に記載の発明によれば、光学セルの被検体入口及び被検体出口に配管継手を設け、光学セルのみを単体で交換可能な構造であり、光学セルの交換作業が容易である。
【００１５】
請求項４に記載の発明は、前記光学セルには、個々の光学セルにおける光量の勾配と校正用標準検体による濃度勾配との差異に基づいて算出した感度係数が記録されており、校正時に変換部において前記感度係数を入力することにより校正が可能であることを特徴とする請求項１乃至請求項３のいずれか１項に記載の光学分析計である。
【００１６】
この請求項４に記載の発明によれば、光学セルには、個々の光学セルにおける光量の勾配と校正用標準検体による濃度勾配との差異に基づいて算出した感度係数が記録されており、校正時に変換部において感度係数を入力することにより標準検体が無くても校正が可能である。
【００１７】
【発明の実施の形態】
以下、この発明の光学分析計の実施の形態を図面に基づいて詳細に説明するが、この発明はこの実施の形態に限定されない。
【００１８】
図１は光学分析計の概略構成図、図２は光学セルの斜視図である。
【００１９】
この実施の形態の光学分析計１は、例えば溶存オゾン濃度計に適用したものである。この光学分析計１の検出部１０には、ベースリング本体１１に光学セル固定板１２が固定され、この光学セル固定板１２には光源ランプ（水銀ランプ）１３、受光素子（シリコンフォトセル）１４、光学フィルタ（スパンチェック板）１５がセットされている。
【００２０】
ベースリング本体１１の中央には、光学セル３０が挿入され、光学セル固定板１６によってベースリング本体１１の光学セル固定板１２に固定され、このベースリング本体１１には防水カバー１９が取り付けられる。
【００２１】
光学セル３０は、セル窓３９を有し、このセル窓３９の位置に光学フィルタ１５が挿入される。光学セル３０の両端には、被検体入口３１と被検体出口３２が設けられ、この被検体入口３１及び被検体出口３２には、それぞれ配管継手３３，３４が設けられている。
【００２２】
この配管継手３３，３４には、防水リング３５，３６を介して被検体配管３７，３８が接続される。この時、光学セル３０の被検体入口３１にはゼロ水（純水のようなオゾンを含まない流体）も通水できるように配管しておく。
【００２３】
ベースリング本体１１と被検体配管３８との間は、防水リング１７によってシールされ、防水カバー１９と被検体配管３７との間は、防水リング１８によってシールされる。
【００２４】
光学セル３０の被検体入口３１及び被検体出口３２に、それぞれ配管継手３３，３４を設けた光学セル３０のみを単体で交換可能な構造であり、この配管継手３３，３４で防水リング３５，３６を介して被検体配管３７，３８が容易に着脱でき、光学セル３０の交換作業が容易である。
【００２５】
この実施の形態の光学分析計１では、被検体の流体を被検体配管３７から光学セル３０内に通過させて被検体配管３８へ排出し、この光学セル３０の透明部分に、光源ランプ１３の光源からの光が光学フィルタ１５を介してセル窓３９より入射され、プリズムまたは回析格子を透過して得られる任意の波長の単色光として照射し、光学セル３０内の被検体を通過するときの光吸収の程度を受光素子１４で受光して光量を測定し、被検体内に含有する成分を計測する。
【００２６】
この光学分析計１の校正時においては、まずゼロ点校正を行なう。このゼロ点校正は光学セル３０にゼロ水（純水のようなオゾンを含まない流体）を通水し、指示が安定した時点でゼロ調整ボリュームを回してゼロを合わせる。
【００２７】
このゼロ点校正後、光学フィルタ１５を光路中に挿入することで、被検体中の測定成分濃度と等価の光吸収が得られスパン校正が可能である。
【００２８】
このスパン校正は、光学セル３０にゼロ水を通水したまま光学フィルタ１５を光路中に挿入し、光学フィルタ１５に記録されている数値をスパンボリュームで入力することにより濃度の判明している標準検体を使用しなくても、スパン校正ができる。
【００２９】
また、長期間の使用により、光学セル３０のセル窓の汚れや測定濃度範囲の変更等で光学セル３０を交換する場合は、新規の光学セル３０を用意した後、光学分析計１に接続している被検体配管３７，３８を外し、光学分析計１の防水カバー１９を外し、光学セル固定板１６を外して光学セル３０を引き出し、新たな光学セル３０を挿入し光学セル固定板１６で固定した後、防水カバー１９を取付ける。
【００３０】
光学分析計１に被検体配管３７，３８を接続した後、ゼロ水を通水してゼロ点を合わせ、ゼロ水を通水したまま光学セル３０に記録されている数値をスパンボリュームで入力することにより、濃度の判明している標準検体を使用しなくても、スパン校正が可能となる。
【００３１】
スパン校正が終了後、さらに光学セル３０にゼロ水を通水したまま光学フィルタ１５を光路中に挿入し、その時の表示値を読み取り光学フィルタ１５に記録されている数値と置き換えることにより、以後新たな光学セル３０と交換するまでその数値が光学フィルタ１５の係数となる。
【００３２】
このように、光学セル３０には、個々の光学セル３０における光量の勾配と校正用標準検体による濃度勾配との差異に基づいて算出した感度係数が記録されており、校正時に変換部において感度係数を入力することにより校正が可能であり、標準検体が無くても光学分析計１の校正が可能である。
る。
【００３３】
この光学分析計１では、被検体内に含有する成分の吸収波長と同一、又は近似の吸収波長を持つ光学フィルタ１５を、光源ランプ１３の光源の内側かつ光学セル側面に配置し、光学フィルタ１５を随時光路中に挿入可能な構造であり、光学セル３０の汚れ、破損、測定範囲変更などに伴ない光学セル３０が交換されるが、この光学セル３０の交換作業が容易である。また、光学セル３０交換後の校正操作を容易に行え、光学セル交換後の定期的な校正においても、標準検体を必要としない。
【００３４】
【発明の効果】
前記したように、請求項１に記載の発明では、被検体内に含有する成分の吸収波長と同一、又は近似の吸収波長を持つ光学フィルタを光源の内側かつ光学セル側面に配置し、光学フィルタを随時光路中に挿入可能な構造であり、汚れ、破損、測定範囲変更などに伴う光学セルの交換作業を容易にし、光学セル交換後の校正操作を容易に行えるようにし、光学セル交換後の定期的な校正においても、標準検体を必要としない。
【００３５】
請求項２に記載の発明では、光学分析計の校正時において、ゼロ点校正後、光学フィルタを光路中に挿入することで、被検体中の測定成分濃度と等価の光吸収が得られ校正が可能であり、濃度の判った標準検体を光学セル内に通過させなくても校正が可能である。
【００３６】
請求項３に記載の発明では、光学セルの被検体入口及び被検体出口に配管継手を設け、光学セルのみを単体で交換可能な構造であり、光学セルの交換作業が容易である。
【００３７】
請求項４に記載の発明では、光学セルには、個々の光学セルにおける光量の勾配と校正用標準検体による濃度勾配との差異に基づいて算出した感度係数が記録されており、校正時に変換部において感度係数を入力することにより標準検体が無くても校正が可能である。
【図面の簡単な説明】
【図１】光学分析計の概略構成図である。
【図２】光学セルの斜視図である。
【符号の説明】
１  光学分析計
１０  検出部
１１  ベースリング本体
１２  光学セル固定板
１３  光源ランプ（水銀ランプ）
１４  受光素子（シリコンフォトセル）
１５  光学フィルタ（スパンチェック板）
１６  光学セル固定板
１９  防水カバー
３０  光学セル
３１  被検体入口
３２  被検体出口
３３，３４  配管継手
３７，３８  被検体配管
３９  セル窓
【図１】
2004226108.tif 000003
【図２】
2004226108.tif 000004